(57)【特許請求の範囲】
【請求項１】
脚の上下部の長さ方向に沿って形成され、脚上部を支持する上部支持台フレーム、且つ、脚の上下部の長さ方向に沿って形成され、脚下部を支持する下部支持台フレームを備える支持台フレームと、
前記脚上部と前記脚下部との間の膝の位置に対応する領域であって前記上部支持台フレームと前記下部支持台フレームとの結合部の領域に配置され、前記膝の屈折角度に合わせて前記上部支持台フレームと前記下部支持台フレームとが曲げられることができる構造を有する膝曲げ部と、
前記支持台フレームに連結されて、脚上部の大腿部部位を包み、固定できるように設けられた大腿部固定部と、
前記支持台フレームに連結されて、脚下部の下腿部位を包み、固定できるように設けられた下腿固定部と、
前記膝の位置に対応する領域に配置された前記膝曲げ部の下側において、前記支持台フレームに連結されて固定されて、少なくとも脚下部側の膝関節部位を支持する膝固定部と、
を備える脚矯正装置において、
前記膝固定部は、
前記膝の内側を支持する膝内側支持部と、
前記膝の外側を支持する膝外側支持部と、
前記膝外側支持部の内側面に配置され、脚下部側の膝関節部位を脚外側から脚内側方向に押すように、膝外側部位に圧力を加えるエアクッション部と、
を備えており、
前記エアクッション部は、空気が注入されて、前記大腿部固定部、膝固定部、及び下腿固定部により、脚内側が固定された状態で、脚外側部位に圧力を加えることを特徴とする脚矯正装置。
【請求項２】
前記上部支持台フレームまたは下部支持台フレームは、脚後方に１つの軸で備えられるか、または脚上部の内側と外側とに一対の軸で備えられることを特徴とする請求項１に記載の脚矯正装置。
【請求項３】
前記膝曲げ部は、バネ、ワイヤ、ゴムから選択される少なくとも１つ以上を含む弾性体によって外部の力が加えられなかった場合、曲げが伸びている状態を維持することを特徴とする請求項１に記載の脚矯正装置。
【請求項４】
前記大腿部固定部及び下腿固定部は、支持台フレームに設置の際、脚の長さ方向への高さ調節が可能なように構成されるか、
または、前記支持台フレームは、脚の上下長さ方向に沿って長さ調節が可能なように構成されたことを特徴とする請求項１に記載の脚矯正装置。
【請求項５】
前記大腿部固定部は、前記支持台フレームに連結され、脚上部の大腿部部位内側を支持する大腿部内側支持部と、前記支持台フレームに連結され、前記大腿部内側支持部と締め付けられて大腿部外側を支持する大腿部外側支持部と、
を備えるか、
または、前記下腿固定部は、前記支持台フレームに連結され、脚下部の下腿部位内側を支持する下腿内側支持部と、前記支持台フレームに連結され、前記下腿内側支持部と締め付けられて下腿外側を支持する下腿外側支持部と、
を備えることを特徴とする請求項１に記載の脚矯正装置。
【請求項６】
前記脚矯正装置内の大腿部内側支持部、膝内側支持部、及び下腿内側支持部は、それぞれ支持台フレームに固定され、膝外側部位に圧力が加えられる場合、これに対応して大腿部、膝、または下腿のそれぞれの内側を支持させることを特徴とする請求項５に記載の脚矯正装置。
【請求項７】
前記脚矯正装置は、空気を前記エアクッション部に注入する別の装置として、エア供給器をさらに備え、
前記エア供給器は、
前記膝外側支持部の前記エアクッション部に空気を注入する圧力器と、
前記圧力器から前記エアクッション部に空気が移動されるチューブと、
前記エアクッション部の空気圧力を表示する空気圧表示部と、
前記エアクッション部の空気圧の除去のためのエアベント部と、
を備えることを特徴とする請求項１に記載の脚矯正装置。
【請求項８】
前記支持台フレームに連結されて、脚下部側の足首部位を包み、支持できるように設けられた足首固定部をさらに備え、
前記足首固定部は、
前記支持台フレームに連結され、脚下部の足首部位内側を包む足首内側支持部と、
前記支持台フレームに連結され、前記足首内側支持部と締め付けられて足首外側を支持する足首外側支持部と、
を備えることを特徴とする請求項１に記載の脚矯正装置。
【請求項９】
脚の上下部の長さ方向に沿って形成され、脚上部を支持する上部支持台フレーム、且つ、脚の上下部の長さ方向に沿って形成され、脚下部を支持する下部支持台フレームを備える支持台フレームと、
前記脚上部と前記脚下部との間の膝の位置に対応する領域であって前記上部支持台フレームと前記下部支持台フレームとの結合部の領域に配置され、前記膝の屈折角度に合わせて前記上部支持台フレームと前記下部支持台フレームとが曲げられることができる構造を有する膝曲げ部と、
前記支持台フレームに連結されて、脚下部の下腿部位を包み、固定できるように設けられた下腿固定部と、
前記膝の位置に対応する領域に配置された前記膝曲げ部の下側において、前記下部支持台フレームに連結されて固定され、少なくとも脚下部側の膝関節部位を支持する膝固定部と、
を備える脚矯正装置において、
前記膝固定部は、
前記膝の外側を支持する膝外側支持部と、
前記膝の内側を支持する膝内側支持部と、
前記膝内側支持部の内側面に配置され、脚下部側の膝関節部位を脚内側から脚外側方向に押すように、膝内側部位に圧力を加えるエアクッション部と、
を備えており、
前記エアクッション部は、空気が注入されて、前記大腿部固定部、膝固定部、及び下腿固定部により、脚外側が固定された状態で、膝内側部位に圧力を加えることを特徴とする脚矯正装置。
【発明の詳細な説明】
【技術分野】
【０００１】
本発明は、脚矯正装置に関し、脛骨の側方偏位による内反膝（Ｏ脚）または外反膝（Ｘ脚）のような曲がった脚を矯正できる脚矯正装置に関する。
【背景技術】
【０００２】
本発明は、脚矯正装置に関し、脛骨の側方偏位による内反膝（Ｏ脚）または外反膝（Ｘ脚）を矯正する装置に関する。
【０００３】
膝蓋骨は、内側や外側が力の均衡をなしながら動くとき、関節面にストレスを加えずに膝蓋骨が顆間溝を移動できるので、膝関節の平衡をとることができなげれば、ストレスが増加してＰＦＰＳ（ｐａｔｅｌｌａ  ｆｅｍｏｒａｌ  ｐａｉｎ  ｓｙｎｄｒｏｍｅ）膝蓋骨部位に問題が生じる可能性があり、膝関節は、他の関節に比べて多くの靭帯からなって支持台の役割をしている。
【０００４】
前記膝関節は、大腿骨の下端と脛骨の上端及び膝蓋骨の後面の３つの部分の骨間にある関節であって、くる病、骨軟化症、軟骨成長障害、内分泌異常、曲がった姿勢、偏食、栄養不均衡、運動不足など、様々な原因で前記膝関節に異常が生じ、脚が内側や外側に曲がることをいわゆる曲がった脚といい、前記曲がった脚は、内反膝と外反膝を含む。
【０００５】
より詳細には、膝関節（ｋｎｅｅ  ｊｏｉｎｔ）は、大腿骨（ｆｅｍｕｒ）下端の内外果と脛骨上端の内外果とが当接する所であり、前面に膝蓋骨が付着されている蝶番関節（ｈｉｎｇｅ  ｊｏｉｎｔ）を形成して、膝の屈曲と伸展がなされる一軸性関節（ｃａｓｔｌｅ  ｄｉｓｍｉｓｓｅｓ  ｊｏｉｎｔ）である。大腿骨内果（ｍｅｄｉａｌ  ｍａｌｌｅｏｌｕｓ）と脛骨（ｔｉｂｉａ）との間、そして、外果（ｌａｔｅｒａｌ  ｍａｌｌｅｏｌｕｓ）と脛骨との間の蝶番関節（ｈｉｎｇｅ  ｊｏｉｎｔ）であり、膝蓋骨と大腿骨との間の平面関節（ｐｌａｎｅ  ｊｏｉｎｔ）からなっている。膝関節は、骨液で満たされた骨液包で囲まれており、衝撃から摩擦を吸収し、関節を保護する。
【０００６】
前記膝関節では、大腿脛骨角（ｔｉｂｉｏ−ｆｅｍｏｒａｌ  ａｎｇｌｅ）が表れるが、大腿骨の長軸と垂直に脛骨の長軸線が会う角であり、膝の内側から１８５度〜１９５度をなすので、大腿長軸が脛骨の長軸より５〜１０度外れている。これを生理的外反角（ｖａｌｇｕｓ）と呼び、正常な外反角より大きければ、一般的に外反膝（Ｘ脚）（ｇｅｎｕ  ｖａｌｇｕｓ）といい、このような外反膝は、膝関節外側に圧力を受けるようになる。
【０００７】
また、正常な外反角より小さな大腿脛骨角の形態を内反膝（Ｏ脚）（ｇｅｎｕ  ｖａｒｕｓ）というが、このような場合は、膝関節内側に圧迫が生じる。
【０００８】
すなわち、内反膝と外反膝とは、膝の内側で大腿骨の長軸線と脛骨の長軸線とが直角で会うようになり、この角度の変化によって外反膝と内反膝とが決定され、膝に載せられる体重の角度でもあるので、膝の変形は、膝の内外側偏位現象が表れるようにする。
【０００９】
このような内反膝と外反膝とは、放置した場合、全て２次的な疾患を誘発し、健康に否定的な影響を及ぼすことができるので、矯正を介しての治療が必要である。
【００１０】
このような内外反膝に対する治療装置と関連した従来技術として、韓国公開特許第２００５−０１１０５６７号（２００５．１１．２３．）は、脚矯正装置に関し、より具体的には、ユーザの脚内側に装着され、その一側終端部は、ユーザの膝部に支持され、その他側終端部は、ユーザのくるぶし部に支持される本体と脚の曲がった部分に力を加えて曲がった脚が矯正され得るように前記本体の中間部両側面に連結されて、脚の曲がった部分を包む圧迫手段を含んでなる脚矯正装置に関する技術が記載されており、また、韓国登録実用新案第２０−０２３６２０５号（２００１．１０．２５．）は、曲がった脚矯正機構に関し、より具体的には、２つの円筒形を一直線になるように両側面で固定ねじで固定し、膝部分の曲げが自由なように上下側円筒形の前方部と後方部とは、Ｕ字形で製作して動きが自由なようにし、圧迫ねじを用いて曲がった部分を引き締めることができるようにした矯正機構に関する技術が記載されている。
【００１１】
先に記載された先行技術文献に該当する韓国公開特許第２００５−０１１０５６７号及び韓国登録実用新案第２０−０２３６２０５号は、共に固定手段と圧迫手段を用いて曲がった脚を逆方向に圧迫して矯正する装置に関する技術が記載されているが、前記技術は、曲がった脛骨部位を圧迫して矯正するものであって、脛骨の側方偏位を矯正して曲がった脚を矯めることはできなかった。
【００１２】
上記のような実情により、本発明は、脛骨の側方偏位を矯正して、膝関節の大腿脛骨角（ｔｉｂｉｏ−ｆｅｍｏｒａｌ  ａｎｇｌｅ）が正常範囲内にくるようにすることで、内外反膝を矯正する装置を提示しようとする。
【発明の概要】
【発明が解決しようとする課題】
【００１３】
本発明は、前述した課題を解決するためのものであって、脚下部の上部外側部位を内側方向に圧力を加えることにより、脛骨外側偏位による内反膝（Ｏ脚）または外反膝をより効果的に矯正するように構成された脚矯正装置を提供しようとするのにその目的がある。
【００１４】
また、本発明は、前記脚矯正装置において、ユーザの脚状態に合わせて膝部位に加えられる圧力を容易に調節可能であり、同時に着用感が向上した脚矯正装置を提供しようとするのにその目的がある。
【００１５】
また、本発明は、前記脚矯正装置において、膝位置が屈伸が可能なようにすることで、ユーザが着用して歩行または休息の際、膝部位を容易に曲げることができ、また、膝の内側矯正圧迫とともに、膝の正常な可動性が加えられることにより、矯正効果がさらに極大化される脚矯正装置を提供するのに発明のさらに他の目的がある。
【課題を解決するための手段】
【００１６】
本発明は、脚の上部及び下部を支持でき、脚の上下長さ方向に沿って形成される支持台フレームと、前記支持台フレームに連結されて、脚上部の大腿部部位を包み、固定できるように設けられた大腿部固定部と、前記支持台フレームに連結されて、脚下部の下腿部位を包み、固定できるように設けられた下腿固定部と、前記大腿部固定部と下腿固定部との間に位置し、支持台フレームに連結されて、少なくとも脚下部側の膝関節部位を支持できるように設けられた膝固定部と、を備える脚矯正装置において、前記膝固定部は、前記支持台フレームに連結されて固定され、膝内側を支持する膝内側支持部と、前記支持台フレームに連結され、膝外側を支持し、脚下部側の膝関節部位を脚外側から脚内側方向に押して膝外側部位に圧力を加えることができる膝外側支持部とを備えることを特徴とする。
【００１７】
一実施形態として、前記支持台フレームは、脚上部を支持する上部支持台フレームと、脚下部を支持する下部支持台フレームとを備え、前記上部支持台フレーム、下部支持台フレーム、またはこれらの結合部は、膝の屈折角度に合わせて曲げられることができる構造を有する膝曲げ部を備えることができる。
【００１８】
一実施形態として、前記上部支持台フレームまたは下部支持台フレームは、脚後方に１つの軸で備えられるか、または脚上部の内側と外側とに一対の軸で備えられることができる。
【００１９】
一実施形態として、前記膝曲げ部は、バネ、ワイヤ、ゴムから選択される少なくとも１つ以上を含む弾性体によって外部の力が加えられなかった場合、曲げが伸びている状態を維持することができる。
【００２０】
一実施形態として、前記大腿部固定部及び下腿固定部は、支持台フレームに設置の際、脚の長さ方向への高さ調節が可能なように構成されるか、または、前記支持台フレームは、脚の上下長さ方向に沿って長さ調節が可能なように構成されることができる。
【００２１】
一実施形態として、前記大腿部固定部は、前記支持台フレームに連結され、脚上部の大腿部部位内側を支持する大腿部内側支持部と、前記支持台フレームに連結され、前記大腿部内側支持部と締め付けられて大腿部外側を支持する大腿部外側支持部とを備えるか、または前記下腿固定部は、前記支持台フレームに連結され、脚下部の下腿部位内側を支持する下腿内側支持部と、前記支持台フレームに連結され、前記下腿内側支持部と締め付けられて下腿外側を支持する下腿外側支持部とを備えることができる。
【００２２】
一実施形態として、前記脚矯正装置内の大腿部内側支持部、膝内側支持部、及び下腿内側支持部は、各々支持台フレームに固定されて、膝外側部位に圧力が加えられる場合、これに対応して大腿部、膝、及び下腿のそれぞれの内側を支持できる。
【００２３】
一実施形態として、前記脚矯正装置内の膝外側支持部は、脚下部側の膝関節部位を脚外側から脚内側方向に押すために、注入された空気の圧力によって脚内側方向に脚下部側の膝関節部位を圧迫するエアクッション部を備えることができる。
【００２４】
一実施形態として、前記脚矯正装置は、空気をエアクッション部に注入する別の装置であって、エア供給器をさらに備え、前記エア供給器は、前記膝外側支持部のエアクッション部に空気注入する圧力器と、前記圧力器からエアクッション部に空気が移動されるチューブと、エアクッション部の空気圧力を表示する空気圧表示部と、エアクッション部の空気圧の除去のためのエアベント部とを備えることができる。
【００２５】
一実施形態として、前記支持台フレームに連結されて、脚下部側の足首部位を包み、支持できるように設けられた足首固定部をさらに備え、前記足首固定部は、前記支持台フレームに連結され、脚下部の足首部位内側を包む足首内側支持部と、前記支持台フレームに連結され、前記足首内側支持部と締め付けられて足首外側を支持する足首外側支持部とを備えることができる。
【００２６】
また、本発明は、脚の上部及び下部を支持でき、脚の上下長さ方向に沿って形成される支持台フレームと、前記支持台フレームに連結されて、脚上部の大腿部部位を包み、固定できるように設けられた大腿部固定部と、前記支持台フレームに連結されて、脚下部の下腿部位を包み、固定できるように設けられた下腿固定部と、前記大腿部固定部と下腿固定部との間に位置し、支持台フレームに連結されて、少なくとも脚下部側の膝関節部位を支持できるように設けられた膝固定部とを備える脚矯正装置において、前記膝固定部は、前記支持台フレームに連結されて固定され、膝外側を支持する膝外側支持部と、前記支持台フレームに連結され、膝内側を支持し、脚下部側の膝関節部位を脚内側から脚外側方向に押して膝内側部位に圧力を加えることができる膝内側支持部とを備えることを特徴とする脚矯正装置を提供する。
【発明の効果】
【００２７】
本発明に係る脚矯正装置は、脚下部側の膝関節部位を脚外側から脚内側方向に押して膝外側部位に圧力を加えるようにすることで、脚下部側の膝関節部位にのみ特定の方向への圧力が加えられるようになり、外側偏位された脛骨が正常位置により効果的に矯正されることができ、また、膝外側に圧迫が加えられた状態で膝関節に正常な可動性が加えられることにより、さらに優れた脚矯正効果を提供できるという長所がある。
【００２８】
また、本発明に係る脚矯正装置は、脚下部側の膝関節部位にのみ注入された空気の圧力により脚内側方向に脚下部側の膝関節部位を圧迫させることで、ユーザの脚状態に合わせて膝部位に加えられる圧力をさらに精密かつ容易に調節可能であるとともに、着用時の着用感を向上させることができるという追加的な効果がある。
【図面の簡単な説明】
【００２９】
【図１】本発明の一実施形態に係る脚矯正装置の構成について説明するための図である。
【図２】本発明のさらに他の一実施形態に係る脚矯正装置の構成について説明するための図である。
【図３】本発明の一実施形態に係る脚矯正装置において脚固定部の位置調節について説明するための図である。
【図４】本発明のさらに他の一実施形態に係る足首固定部を備える脚矯正装置について説明するための図である。
【図５】本発明の一実施形態に係る脚矯正装置において膝固定部のエアクッション部について説明するための図である。
【図６】本発明の一実施形態に係る脚矯正装置において膝固定部の空気圧表示部について説明するための図である。
【発明を実施するための形態】
【００３０】
本明細書において各図面の構成要素に参照番号を付加するにあたって、同じ構成要素に限っては、例え、他の図面上に表示されても可能な同じ番号を有するようにしていることに留意すべきである。また、「第１」、「第２」、「一面」、「他面」などの用語は、１つの構成要素を他の構成要素から区別するために使用されるものであって、構成要素が上記用語等により制限されるものではない。
【００３１】
本発明の好ましい実施形態に対する原理を詳細に説明するにあたって、関連した公知機能または構成についての具体的な説明が本発明の要旨を不要に濁す恐れがあると判断される場合には、その詳細な説明を省略する。
【００３２】
また、本明細書に記載された実施形態と図面に図示された構成とは、本発明の最も好ましい一実施形態に過ぎず、本発明の技術的思想を全て代弁するものではないので、本出願時点においてこれらを代替できる様々な均等物と変形例等がありうることを理解すべきである。
【００３３】
以下、添付された図面を参照して本発明の属する技術分野における通常の知識を有する者が本発明を容易に実施できるように、本発明に係る脚矯正装置１００の好ましい実施形態を詳細に説明する。
【００３４】
図１は、本発明に係る脚矯正装置１００において、支持台フレームが脚上部の内側と外側とに一対の軸で備えられた脚矯正装置１００の概念図を図示したものであり、図２は、支持台フレームが脚後方に１つの軸で備えられた脚矯正装置１００の概念図を図示したものである。
【００３５】
ここで、前記図１及び図２のそれぞれの右側に図示された脚矯正装置１００は、絵の前面がユーザの脚の前面に着用され、絵の後面方向がユーザの脚後面に作用される部分であり、また、前記図１及び図２のそれぞれの右側に図示された垂直点線を基準に丸付き数字１で表示された方が脚内側に位置するように着用され、丸付き数字２で表示された方が脚外側に位置するように着用されることと説明しようとする。
【００３６】
図１及び図２に示されたように、本発明の一実施形態に係る脚矯正装置１００は、支持台フレーム１１０と脚固定部１２０とを備え、前記脚固定部１２０は、大腿部固定部１２１、膝固定部１２２、及び下腿固定部１２３を備えることができる。
【００３７】
本発明の前記支持台フレーム１１０は、前記脚固定部１２０が設けられ、前記脚の上部と下部の両方を支持でき、脚の上下長さ方向に沿って形成される。
【００３８】
一方、本発明において使用される「脚上部」は、脚の股関節から膝までの間を意味し、「脚下部」は、膝から足首までの間を意味し、本発明における前記支持台フレーム１１０は、好ましくは、脚上部を支持する上部支持台フレーム１１１と脚下部を支持する下部支持台フレーム１１２とを備えて構成され、前記上部支持台フレーム１１１と下部支持台フレーム１１２とは、一体型で構成されることができ、着脱式で構成されることもできる。
【００３９】
また、前記上部支持台フレーム１１１、下部支持台フレーム１１２、またはこれらの結合部には、膝の屈折角度に合わせて曲げられることができる構造を有する膝曲げ部１１４が備えられており、本発明の脚矯正装置１００をユーザが着用したとき、膝を曲げたり、伸ばす動作を容易に行うことができるようにする。
【００４０】
すなわち、前記膝曲げ部１１４は、上部支持台フレーム１１１の下端部に備えられるか、または下部支持台フレーム１１２の上端部に備えられるか、あるいは前記上部支持台フレーム１１１と下部支持台フレーム１１２との間の結合部に位置するように備えられることができ、図１及び図２では、例示的に上部支持台フレーム１１１と下部支持台フレーム１１２との間に位置するように備えられることを図示した。
【００４１】
例えば、前記膝曲げ部１１４が上部支持台フレーム１１１の下端部または下部支持台フレーム１１２の上端部に位置しても、前記上部支持台フレーム１１１と下部支持台フレーム１１２とは、別にこれらの間に結合部を有することにより、互いに連結されることができるものである。
【００４２】
一方、前記膝曲げ部１１４は、バネ、ワイヤ、ゴムから選択される少なくとも１つ以上を含む弾性体によって外部の力が加えられなかった場合、曲げが伸びている状態を維持するようにし、ユーザが本発明の脚矯正装置１００を着用した後に歩行するとき、歩行に役に立つようにすることもできる。
【００４３】
すなわち、ユーザが本発明の脚矯正装置１００に何らの力を加えなかった状態で前記脚矯正装置１００の初期の状態は、膝曲げ部１１４が曲げられずに伸びた状態を維持することにより、ユーザの着用を容易にし、また、ユーザが立っている場合に不要な力を加える必要がないようにすることができる。
【００４４】
一方、本発明において前記矯正装置１００は、外部から何らの力を加えなかった状態で所定角度を維持するように初期状態を維持することにより、曲げ状態を維持して、座った状態で着用することが容易なようにすることもできるであろう。
【００４５】
一方、本発明において前記支持台フレーム１１０には、脚固定部１２０が連結されて設けられ、前述したように、脚固定部１２０は、固定される部位によって大腿部固定部１２１、膝固定部１２２、下腿固定部１２３を備える。
【００４６】
本発明に係る脚固定部１２０のそれぞれの具体的な構成と機能を詳細に説明すれば、前記大腿部固定部１２１は、前記支持台フレーム１１０に連結されて、脚上部の大腿部部位を包み、固定できるように設けられるものであり、前記下腿固定部１２３は、前記支持台フレーム１１０に連結されて、脚下部の下腿部位を包み、固定できるように設けられるものであり、前記膝固定部１２２は、前記大腿部固定部１２１と下腿固定部１２３との間に位置し、支持台フレーム１１０に連結されて、少なくとも脚下部側の膝関節部位を支持できるように設けられるものである。
【００４７】
一方、本発明は、前記支持台フレーム１１０に連結されている脚固定部等に該当する、大腿部固定部１２１、膝固定部１２２、及び下腿固定部１２３がそれぞれ脚上部の大腿部部位、膝部位、及び脚下部の下腿部位を支持し、前記膝固定部１２２が脚下部側の膝関節部位を脚外側部位から脚内側方向に圧力を加えて脛骨を内側に押すことにより、内反膝（Ｏ脚）を矯正できることを特徴とする。
【００４８】
このために、前記膝固定部１２２は、前記支持台フレーム１１０に連結されて固定され、膝内側を支持する膝内側支持部１２２−１及び前記支持台フレーム１１０に連結され、膝外側を支持し、脚下部側の膝関節部位を脚外側から脚内側方向に押して膝外側部位に圧力を加えることができる膝外側支持部１２２−２を備えることができる。
【００４９】
すなわち、本発明に係る脚矯正装置１００は、大腿部固定部、膝固定部、及び下腿固定部が各々支持台フレーム１１０に固定され、前記膝外側支持部１２２−２が脚下部側の膝関節外側部位に圧力を加えるようにし、これに対応して大腿部固定部、膝固定部、及び下腿固定部は、それぞれの脚内側を支持させることにより、外側に側方偏位された脛骨が正常位置に移動するように矯正できるようになる。
【００５０】
また、前記膝固定部１２２は、前述したように、脚下部側の膝関節外側部位を押して圧力を加えることができながらも、反対側の膝側を支持できるように設けられなければならないので、少なくとも前記膝曲げ部１１４より下部に位置しなければならない。
【００５１】
したがって、前記膝固定部１２２は、下部支持台フレーム１１２に連結されていることができるか、または上部支持台フレーム１１１と下部支持台フレーム１１２との結合部に連結されていることもできる。
【００５２】
一方、図１及び図２に示されたように、本発明に係る脚矯正装置１００の支持台フレーム１１０は、前記上部支持台フレームまたは下部支持台フレームを備え、前記上部支持台フレームまたは下部支持台フレームは、１つの軸で構成されるか、または２つ以上の軸で構成されることができ、好ましくは、脚後方に１つの軸で備えられるか、または脚上部の内側と外側とに一対の軸で備えられることができる。
【００５３】
より具体的に、図１は、支持台フレーム１１０が脚後方に１つの軸で備えられたことを示しており、図２は、支持台フレーム１１０が脚の内側と外側とに一対の軸で備えられることを示しており、本発明は、これに制限されず、さらに、上部支持台フレーム１１１と下部支持台フレーム１１２とが各々互いに別に脚後方に１つの軸で備えられるか、脚の内側と外側とに一対の軸で備えられるなど、様々な変形で応用されることができる。
【００５４】
すなわち、上部支持台フレーム１１１と下部支持台フレーム１１２とは共に脚後方に１つの軸で備えられることができるか、または両方ともに脚の内側と外側とに一対の軸で備えられることができ、上部支持台フレーム１１１は、脚後方に１つの軸で備えられ、下部支持台フレーム１１２は、脚の内側と外側とに一対の軸で構成されることもでき、上部支持台フレーム１１１は、脚の内側と外側とに一対の軸で構成され、下部支持台フレーム１１２は、脚後方に１つの軸で備えられることもできる。
【００５５】
一方、本発明に係る脚固定部１２０は、脚の長さ方向への高さ調節が可能でありうる。
【００５６】
一方、図３は、本発明の一実施形態に係る脚矯正装置１００において脚固定部１２０の位置調節について説明するための例示図であって、前記大腿部固定部１２１及び下腿固部１２３は、各々支持台フレーム１１０に設置の際、脚の長さ方向への高さ調節が可能なように構成されて、様々なユーザの脚長さに合わせて着用され得るようにする。
【００５７】
また、本発明に係る前記支持台フレーム１１０も脚の上下長さ方向に沿って長さ調節が可能なように構成されることができる。すなわち、図３の（ｃ）及び図３の（ｄ）に示されたように、それぞれの上部支持台フレームと下部支持台フレームとは、各々支持台フレーム内部に複数の結合溝のような高さ調節が可能な溝を備え、これをボルト−ナットなどにより長さ調節が可能なようにすることができ、上部支持台フレームと下部支持台フレームとの結合部にネジ棒とナット、または歯と掛け金を用いて長さ調節が可能な締め付け部を備えることにより、ユーザをして簡便に長さ調節が可能なようにすることができる。
【００５８】
一方、本発明において前記大腿部固定部１２１または下腿固定部１２３の中で選択される少なくとも１つ以上の脚固定部１２０は、各々脚内側を支持する内側支持部と脚外側を支持する外側支持部とを備えることができる。
【００５９】
より具体的には、前記大腿部固定部１２１は、前記支持台フレーム１１０に連結され、脚上部の大腿部部位内側を支持する大腿部内側支持部１２１−１及び前記支持台フレーム１１０に連結され、前記大腿部内側支持部１２１−１と締め付けられて大腿部外側を支持する大腿部外側支持部１２１−２を備えるか、または前記下腿固定部１２３は、前記支持台フレーム１１０に連結され、脚下部の下腿部位内側を支持する下腿内側支持部１２３−１及び前記支持台フレーム１１０に連結され、前記下腿内側支持部１２３−１と締め付けられて下腿外側を支持する下腿外側支持部１２３−２を備えることができる。
【００６０】
ここで、前記大腿部内側支持部１２１−１及び大腿部外側支持部１２１−２は、ユーザの膝前方面または膝後方面で互いに連結されて一体に構成されることができ、また、前記下腿内側支持部１２３−１及び下腿外側支持部１２３−２も同様に、ユーザの膝前方面または膝後方面で互いに連結されて一体に構成されることができる。
【００６１】
また、本発明は、前記大腿部内側支持部と大腿部外側支持部とを締め付ける大腿部固定ベルト１２１−３を備えることができ、これに対応して、前記下腿内側支持部と下腿外側支持部とを締め付ける下腿固定ベルト１２３−３を備えることができる。
【００６２】
ここで、前記大腿部内側支持部と下腿内側支持部とは、外側偏位されている脚下部側の膝関節部位が正常範囲に移動されて矯正され得るように、前記膝外側支持部１２２−２から加えられる圧力に対応して、膝内側支持部とともに大腿部と下腿の内側面を各々支持させる。
【００６３】
このために、本発明の脚矯正装置１００において、前記脚矯正装置１００内の大腿部内側支持部１２１−１、膝内側支持部１２２−１、及び下腿内側支持部１２３−１は、各々支持台フレーム１１０に固定されて、膝外側部位に圧力が加えられる場合、これに対応して大腿部、膝、及び下腿のそれぞれの内側を支持させる構成となることができる。
【００６４】
一方、本発明は、上記のように、膝外側部位に加えられる圧力に対応して脚内側面を支持する支持力をさらに高めて脚矯正効果を向上させるために、図４に図示されているように、下腿固定部の下部に足首固定部１２７をさらに備えて構成することもできる。
【００６５】
前記足首固定部１２７は、前記支持台フレーム１１０に連結されて、脚下部側の足首部位を包み、支持できるように設けられ、前記足首固定部１２７は、前記支持台フレーム１１０に連結され、脚下部の足首部位内側を包む足首内側支持部１２７−１及び前記支持台フレーム１１０に連結され、前記足首内側支持部１２７−１と締め付けられて足首外側を支持する足首外側支持部１２７−２を備えることができる。
【００６６】
ここで、前記足首内側支持部１２7−１及び足首外側支持部１２７−２は、前述と同様に、ユーザの膝前方面または膝後方面で互いに連結されて、一体に構成されることができ、また、前記足首内側支持部と足首外側支持部とを締め付ける足首固定ベルト１２７−３を備えることができる。
【００６７】
一方、前記大腿部固定部１２１及び下腿固定部１２３は、支持台フレーム１１０から垂直方向に連結されて脚を包む構造を有し、材質は、プラスチックまたは金属フレームであり、表面は、軟らかい繊維素材またはゴム、シリコンなどを含むことができる。
【００６８】
また、前記大腿部固定部１２１及び下腿固定部１２３におけるそれぞれの内側支持部及び外側支持部は、固定ベルトを用いて脚厚さに合わせて脚を包んで固定させることができ、前記固定ベルトは、ベルクロ（登録商標）テープ、スナップボタン、ボタン及びボタン穴、バックル、またはこれらの組み合わせで構成された締め付け手段を含んで構成される。
【００６９】
図５及び図６は、本発明の一実施形態に係る脚矯正装置１００において膝固定部１２２についてより詳細に説明するための図であって、図５は、膝外側支持部１２２−２のエアクッション部１２４について図示されている図であり、図６は、膝外側支持部１２２−２のエアクッション部１２４に空気を注入、排出、及び空気圧を測定する構成について図示されている図である。
【００７０】
上記図５に示されたように、本発明に係る脚矯正装置１００内の膝外側支持部１２２−２は、脚下部側の膝関節部位を脚外側から脚内側方向に押すためのエアクッション部１２４と、前記エアクッション部１２４に空気を注入するためのエア供給部１２５とを備えることができる。
【００７１】
また、図６に示されたように、本発明に係る脚矯正装置は、前記エアクッション部に空気を注入する別の装置であって、エア供給器１３０をさらに備えることができる。
【００７２】
前記エア供給器１３０は、前記膝外側支持部のエアクッション部に空気を注入する圧力器１３０−１と、前記圧力器からエアクッション部に空気が移動されるチューブ１３０−２と、エアクッション部の空気圧力を表示する空気圧表示部１３０−３と、エアクッション部の空気圧の除去のためのエアベント部１３０−４とを備えて構成される。
【００７３】
すなわち、前記エア供給部１２５に前記チューブ１３０−２を連結し、前記圧力器１３０−１を収縮させることにより、前記エアクッション部１２４に空気を供給できる。
【００７４】
ここで、前記エアクッション部１２４は、空気が注入されれば、注入された空気の圧力により膨張して、脚内側方向に脚下部側の膝関節部位を圧迫することができ、前記エア供給部１２５とエアベント部１３０−４とを用いてエアクッション部１２４の膨張程度を調節することにより、矯正進行段階及び様々なユーザらの脚状態に合わせてエアクッション部１２４の膨張程度を異にして矯正を実施できる。
【００７５】
すなわち、ユーザは、前記空気供給器１３０のエアベント部１３０−４を介してエアクッション部１２４内の空気圧力をモニタリングし、これを参照して前記圧力器１３０−１及びエアベント部１３０−４を操作してエアクッション部１２４の空気圧を調節することにより、ユーザの脚状態に合わせてエアクッション部１２４の膨張程度を調節できるものである。
【００７６】
一方、図６及び上記の説明には、前記圧力器１３０−１、チューブ１３０−２、空気圧表示部１３０−３、及びエアベント部１３０−４は、前記膝外側支持部１２２−２とは別の装置であるエア供給器１３０に含まれた構成と説明されたが、前記圧力器１３０−１、チューブ１３０−２、空気圧表示部１３０−３、エアベント部１３０−４のうち、少なくとも１つ以上を前記膝外側支持部１２２−２内に含めることにより、エア供給器を脚矯正装置１００と一体型で構成することもできるであろう。
【００７７】
前記空気圧表示部１３０−３は、前記エアクッション部１２４に注入された空気の圧力を表示するものであって、図６には、アナログ圧力計を図示しているが、実際には、エアクッション部１２４に注入された空気の圧力を表示できる全てのアナログ圧力計またはデジタル圧力計を含むことができる。
【００７８】
一方、本発明に係る脚矯正装置において、上記の説明では、膝外側支持部１２２−２が脚下部側の膝関節部位を脚外側から脚内側方向に押して膝外側部位に圧力を加え、大腿部内側支持部１２１−１、膝内側支持部１２２−１、下腿内側支持部１２３−１が前記膝外側支持部１２２−２から脚内側方向に加える圧力に対応して脚内側を支持することで内反膝を矯正することと説明したが、本発明は、上記説明における脚矯正装置１００の内側部分の構成と外側部分の構成の構造と役割を逆に備えることで外反膝を矯正することもできるであろう。
【００７９】
すなわち、本発明の脚矯正装置１００は、膝内側支持部１２２−１が脚下部側の膝関節部位を脚内側から脚外側方向に押して膝内側部位に圧力を加え、大腿部外側支持部１２１−２、膝外側支持部１２２−２、下腿外側支持部１２３−２が前記膝内側支持部１２２−１から脚外側方向に加える圧力に対応して脚外側を支持することで外反膝を矯正させることもでき、これの例示的構成として、本発明は、脚の上部及び下部を支持でき、脚の上下長さ方向に沿って形成される支持台フレームと、前記支持台フレームに連結されて、脚上部の大腿部部位を包み、固定できるように設けられた大腿部固定部と、前記支持台フレームに連結されて、脚下部の下腿部位を包み、固定できるように設けられた下腿固定部と、前記大腿部固定部と下腿固定部との間に位置し、支持台フレームに連結されて、少なくとも脚下部側の膝関節部位を支持できるように設けられた膝固定部とを備える脚矯正装置において、前記膝固定部は、前記支持台フレームに連結されて固定され、膝外側を支持する膝外側支持部と、前記支持台フレームに連結され、膝内側を支持し、脚下部側の膝関節部位を脚内側から脚外側方向に押して膝内側部位に圧力を加えることができる膝内側支持部とを備えることを特徴とする脚矯正装置を提供できるであろう。
【００８０】
以上、本発明は、添付された図面に図示された実施形態を参照して説明されたが、これは例示的なことに過ぎず、当該技術に属する分野で従事する者であれば、これから様々な変形や均等な他の実施形態が可能であるということが分かるであろう。したがって、本発明の技術的保護範囲は、下記の特許請求の範囲によって決められるべきであろう。
【産業上の利用可能性】
【００８１】
本発明に係る脚矯正装置は、脚下部側の膝関節部位を脚外側から脚内側方向に押して膝外側部位に圧力を加えるようにすることにより、脚下部側の膝関節部位にのみ特定の方向への圧力が加えられるようになり、外側偏位された脛骨が正常位置により効果的に矯正されることができ、脚矯正装置の技術分野において広く利用される可能性がある。
【符号の説明】
【００８２】
１００      脚矯正装置
１１０      支持台フレーム
１１１      上部支持台フレーム
１１２      下部支持台フレーム
１１４      膝曲げ部
１２０      脚固定部
１２１      大腿部固定部
１２１−１  大腿部内側支持部
１２１−２  大腿部外側支持部
１２１−３  大腿部固定ベルト
１２２      膝固定部
１２２−１  膝内側支持部
１２２−２  膝外側支持部
１２３      下腿固定部
１２３−１  下腿内側支持部
１２３−２  下腿外側支持部
１２３−３  下腿固定ベルト
１２４      エアクッション部
１２５      エア供給部
１２６      エアベント部
１２７      足首固定部
１２７−１  足首内側支持部
１２７−２  足首外側支持部
１２７−３  足首固定ベルト
１３０      エア供給器
１３０−１  圧力器
１３０−２  チューブ
１３０−３  空気圧表示部
１３０−４  エアベント部
【図１】
0006792087.tif 000002
【図２】
0006792087.tif 000003
【図３】
0006792087.tif 000004
【図４】
0006792087.tif 000005
【図５】
0006792087.tif 000006
【図６】
0006792087.tif 000007